(57)【特許請求の範囲】
【請求項１】
冠板を有するマウントユニットと、
当該冠板の範囲内に配置される電気的コネクタとを有し、
当該冠板が、マウント冠において対応する半径方向に延在している第二フランジとかみ合うために、半径方向に延在している第一フランジを有する監視カメラハウジング。
【請求項２】
当該冠板に配置されるラディアルガスケットを更に含む請求項1に記載の監視カメラハウジング。
【請求項３】
当該ラディアルガスケットが、バルブ形状の一つである周辺端と、複数の半径方向に延在している指とを有する請求項2に記載の監視カメラハウジング。
【請求項４】
当該マウント冠における第二ラビリンス部分とかみ合うために当該冠板に配置される第一ラビリンス部分を更に含み、当該ラビリンス部分が当該ハウジングへの汚染物質の進入を阻止する請求項1に記載の監視カメラハウジング。
【請求項５】
当該半径方向に延在している第一フランジが、当該半径方向に延在している第一フランジと当該半径方向に延在している第二フランジの間の移動を制限するために第一および第二リブ部分を、少なくとも、含む請求項1に記載の監視カメラハウジング。
【請求項６】
当該冠板が、複数の抗回転ねじを受ける複数のノッチを更に含み、当該抗回転ねじが、当該半径方向に延在している第一フランジと半径方向に延在している第二フランジの間の移動を禁止する請求項1に記載の監視カメラハウジング。
【請求項７】
当該フランジが、キーイング特長の一つおよび一連の可変サイズの突起を具体化する請求項1に記載の監視カメラハウジング。
【請求項８】
当該冠板が、当該半径方向に延在している第一フランジと当該半径方向に延在している第二フランジとの間の移動を禁止する複数のバネ付勢された回転止めを、更に、含む請求項1に記載の監視カメラハウジング。
【請求項９】
当該半径方向に延在している第一および第二フランジの各々が、複数のフランジを有する請求項1に記載の監視カメラハウジング。
【請求項１０】
マウントユニットを含む監視カメラハウジングを、マウント冠を含むマウントに接続する方法であって、
第一フランジを有するマウント冠を設け;
第二フランジを有するマウントユニットを設け;
電気的コネクタを当該ハウジングに配置し;
当該マウントユニットを有する当該ハウジングを、当該第一フランジが存在しない場所に当該マウント冠を入れ、かつ当該第二フランジが存在しない場所に当該ハウジングと勘合する当該第一フランジを入れる当該第二フランジにより、当該マウント冠に挿入し;そして
当該第一フランジが当該第二フランジの下に配置されるように、当該ハウジングを回転させる方法。
【請求項１１】
マウントユニットによりマウントに結合されている監視カメラハウジングであって、前記ハウジングが、
半径方向に延在する第一フランジを有するマウント冠と;
当該半径方向に延在する第一フランジに静止する半径方向に延在する第二フランジを有する冠板を有する前記ハウジングと;
当該冠板の範囲内に配置される電気的コネクタとを
有するハウジング。
【発明の詳細な説明】
【０００１】
【発明が属する技術分野】
本発明は、監視カメラのハウジングの技術分野に関し、特に、ハウジングとマウント間の機械インタフェースでの、マウントと監視カメラ間の電気的接続に対するインターフェイスを取るハウジングのマウントユニットに関する。
【０００２】
【従来の技術】
米国特許5,689,304に示されるようなカメラハウジングは、別個のマウントユニットのインストールを必要とする。ビデオ、電源および信号ワイヤは、ハウジング内部にインストールされた監視カメラと静止マウントとの間に、このマウントユニットにより渡される。このマウントユニットとハウジング間のインターフェースは、堅牢で、見た目も良くかつ水密でなければならない。これは、ハウジングをマウントユニットに接続するさい、通常、使用する別個のオペレーションで、必要なシールを生成するためにガスケットを平らにする固定具を必要とする。
【０００３】
マウントユニットがマウントとハウジングに接続されたた後、ハウジングのサブアセンブリは、そこに延在する未結線のワイヤを含む。このワイアは、後に、専門技術者により監視カメラに接続されなければならない。この接続のためには、カメラの進入を可能にするためにより大きいハウジングを必要とする、ハウジング内部でのアクセスを必要とする。従って、この構成は、高価なインスール時間、より大きいハウジング、そしてフィールド作動する機械的および電気的インタフェース装置を必要とする。
【０００４】
米国特許5,718,602におけるような他の従来技術の試みは、カム素子により偏向され、次いで同じカム素子内の凹部内にサポートされる長さ方向に延在する大きいラッチ部品を使用する。この構成は、それが偏向されたあと、凹部の中へとそれを戻すように回転するラッチ部品への付勢力に依存する。かみ合わせは、この付勢力に依存して自動的に実行され、そしてユーザが実際にかみ合わせを生じさせる場合より信頼性と安全性が低い。例えば、ラッチ部品が凹部とカメラに回転せずにハウジングが解放されると、カメラおよびハウジングは落下してしまうであろう。さらに、ラッチ部品は、構成に必要な空間を増大させそして見た目も悪くさせる長さを必然的に有している。
【０００５】
【課題を解決するための手段】
したがって、本発明の目的は、装置をすえ付けるために高くつくフィールド技術者を必要とすることなくマウントに容易に結合することができるカメラハウジングを提供することである。従って、本発明の目的は、ハウジングとマウントとの単純なかみ合いを可能にするマウントユニットを有するカメラハウジングを提供することである。インストールは、ユーザが制御出来、廉価で、信頼性があり、構造的に堅牢で、かつ美学的に心地よくあるべきである。カメラハウジングは、単純で、美学的に、気に入り、信頼できるかみ合いを与え、そして構造的に堅牢である態様で、マウントと組み合わされることが、好ましい。
【０００６】
本発明の一態様の場合、監視カメラハウジングは、冠板を有するマウントユニットを含む。冠板は、取付冠において対応する第二半径方向に延在するフランジとかみ合うための第一半径方向に延在するフランジを有する。電気的コネクタは、冠板の範囲内に配置される。
【０００７】
以下の態様と同様に、この態様は、構造的に強い、美学的に気に入っている、容易にインストールされるカメラハウジングのマウント組合せを与える。
【０００８】
本発明の別の態様は、取付冠を含むマウントにより、マウントユニットを含むハウジングを接続する方法である。この方法は、第一フランジを有する取付冠の提供と、マウントユニットに第二フランジを設けること、電気的コネクタをハウジングに配置することとを含む。この方法は、第一フランジが存在しない位置に取付冠を入れる第二フランジにより取付冠にマウントユニットを有するハウジングを挿入することを更に含み、および第一フランジが、第二フランジが存在しないハウジングとかみ合っている。この方法は、更にハウジングを回転させることを含み、これにより第一フランジは第二フランジの下に配置される。
【０００９】
本発明の更に別の態様の場合、マウントユニットによりマウントに結合される監視カメラハウジングは、第一半径方向に延在しているフランジを有しているマウント冠および冠板を有しているハウジングを含む。冠板は、第一半径方向に延在しているフランジにとまっている第二半径方向に延在しているフランジを有する。電気的コネクタは、冠板の範囲内に配置されている。
【００１０】
これらおよび他の目的は、同じ素子の指定には同様な参照番号が使用されている添付の図面と共に記述される以下の記載からより明らかになるであろう。
【００１１】
【発明を実施するための形態】
図1を簡潔に参照すると、ハウジング20は、22で総括的に示されるマウントユニットに接続されている。図3は、図2の平面図に示されるラインB-Bに沿ってのマウントユニット22の切欠け横断面図によりマウントユニット22の構成部分を詳細に示す。第一終端でテーパの付いた開口26を有しかつ第二終端で半径方向に延在している内側のフランジ28を有する、一般に円錐台形状の砂鋳込アルミニウムマウント冠24は、図示されるように、砂鋳込アルミニウム冠板30とかみ合っている。テーパの付いた開口26は、外側のねじが切られたパイプマウント（図示せず）と嵌合する内側のねじ27を含むことができる。マウント冠24は、さらに、円錐台の中心軸56に平行に延在する内向きの延長部46を含む。冠板30は、内側フランジ28とかみ合う半径方向に延在する外側フランジ32を有する。冠板30の下側は、シール34によりハウジング20の上部に水密の態様で密封されている。シール34は、平形ガスケット、複数のねじ35（図6に示される）または他のいかなる従来のシーリングユニットとすることが出来る。アドレススイッチのような、ハウジング内部の構成部品へのアクセスは、シール34を除去することにより実現させることができる。
【００１２】
図4も、また、図2の平面図に示されるラインD-Dに沿っての嵌合ユニット22の切欠け横断面図である。電気的コネクタ36は、電気的コネクタプレート38に配置され、そして電気的に結合され、テーパの付いた開口26とハウジング20の内部との間の電気的接続を、構成する。電気的コネクタプレート38は、さらにねじ40により冠板30に結合されている。中空の、丸い、周辺端44を有している中空のラディアルガスケット42は、冠板30の上に配置される。明らかに、ラディアルガスケット42は、マウント冠24に加えることも出来る。
【００１３】
識別することができるように、マウント冠24がハウジング20に配置されるとき、内向き延長部46は、周辺端44を下方へ偏向させ、これにより、周辺端44に半径方向に外部に配置された全ての素子に対するシール圧力が生成される。逆に、ラディアルガスケット42の中空部分の範囲内に配置される全ての素子は、封止されていないのでテーパの付いた入力部26を介してアクセスすることが出来る。中空の、バルブ形状の周辺端44の使用は、挿入および引き出しのさいの両者の力を最小にかつ同等にするので、かなりのラディアル偏向が可能になり、高いコストの精度許容範囲の必要性を避けることが出来る。
【００１４】
続いて、図3および4を参照し、さらに図5を参照すると、内側フランジ28は、マウント冠24の周辺端のほぼ半分に配置されている。マウント冠24の周辺端の他の半分は、内側フランジ28が存在したはずの空隙50およびさらにねじ受け入れ部分52を含む。同様に、図6に示されるように、外側のフランジ32は冠板30の周辺端のほぼ半分を覆う。冠板30の周辺端の他の半分は、空隙54を含む。
【００１５】
図3から最も明瞭に判るように、外側フランジ32は、中心軸56から最も遠い位置まで延在する。この位置に外側フランジ32を配置することにより、2つの明瞭な強度因子が、実現する。第一に、これらのフランジの円周は、より大きくなっているので、フランジに対して誘起される応力を減少するためにより多くの軸受領域が得られる。第二に、大きい軸ずれ距離は、ハウジング20およびマウント冠24間のインターフェースで、回転力負荷により多くの応力が伝送されることを可能にする。
【００１６】
図3-6に示されるように、監視カメラ（図示せず）は、全ての電気的コネクタ36と共にハウジング22の範囲内に配置されるが、これらの電気的コネクタは、作動中、ラディアルガスケット42の中空部分の近く、従って冠板30の中心の近くに配置され、据え付け者がアクセス出来なければならない。必要に応じ、安全性ケーブルアイフック70を、電気的コネクタ36の近くに配置することもできる。ハウジング20は、マウントユニット22とともに、ある空隙50に外側フランジ32を配置しそして同時に空隙54に内側フランジ28を配置することによりマウント冠24とかみ合う。外側フランジ32により規定される水平面が、内側フランジ28により規定される対応する水平面より高くなるように、ハウジング20およびマウントユニット22はさらに上げられる。ハウジング20およびマウントユニット22を、次いで、ハウジング20の長軸について1/4回転させ、図3に最も明瞭に示されるように、これにより、内側フランジ28より上に外側フランジ32を配置しそして内側フランジ28によりサポートされる外側フランジ32を可能にする。
【００１７】
図7に示されるように、リブ延長部58は、外側フランジ32の両端に配置される。外側フランジ32の第一終端で、リブ延長部58は、ハウジング20およびマウントユニット22の回転を完全に禁止する。外側フランジ32の第二終端で、リブ延長部は、ハウジング20およびマウントユニット22が最初垂直に持ち上げられた場合のみ、ハウジング20およびマウントユニット22の回転を可能にする。このようにして、リブ延長部58は、適用される重力による意図しない外れを防ぐ。ハウジング20を除去するためには、ユーザが、ハウジング20を垂直に持ち上げ、挿入ハウジング20に使用された反対方向のその長軸についてハウジング20を回転させることを必要とする。
【００１８】
図4-6を参照すると、ハウジング20とマウントユニット22のマウント冠24との機械的かみ合わせは、抗回転ねじ60を設けることによりさらに向上する。抗回転ねじ60は、ハウジング20のいかなる回転もさらに禁止することによりリブ延長部58の機能を補足する。外側フランジ32と内側フランジ28がかみ合うと、抗回転ねじ60は、冠板30の外側の部分に配置されるノッチ62に、マウント冠24におけるねじ受け入れ部分52を介してねじ込まれる。図4に最も明瞭に示されるように、抗回転ねじ60は、据え付け者に対するアクセス可能性を維持しつつ、この装置の見た目を改善するために一般に垂直にマウントされる。抗回転ねじ60は、ラディアルガスケット42より半径方向で外側にある位置で冠板30に配置されるので、ねじ山を介してしみ出すいかなる水も、マウント冠24とハウジング20の間のギャップを介して流れそしてハウジング20の内部に侵入することはないであろう。これに代えて、抗回転ねじを、同じ目的を遂行するためのばねロードされた回転止め（図示せず）により置換してもよい。
【００１９】
マウント冠24は、いかなるマウントの延長部としても形成することができる。例えば、壁マウントアーム延長部の終端を、マウント冠24のような構造にしてもよい。このような実施例の場合、マウントアーム上の外側表面は、さらにハウジング20と嵌合するように構築させることが出来る。ハウジング20が終了しそしてマウント冠24が開始する所を示すために、マウント冠は、さらにそれに応じて半径方向に配置される小さい周辺ステップを含んでもよい。
【００２０】
したがって、マウントユニットと電気的コネクタを互いに近く配置することにより、据え付け者が即座にかつ便利にアクセスしそしてマウントに監視カメラハウジングをすえ付ける能力が与えられる。その上、最小の応力が、電気的ワイヤに配置され、機械的強さおよび信頼性の高準位が実現され、そして、見た目の良さは維持される。カメラは工場において配線されていて、そして時間のかかる、または高価な接続装置は、据え付けの間、必要とされない。さらに、カメラおよびハウジングは一体のサブアセンブリであるので、カメラは処理の間、保護される。
【００２１】
好適な実施例を記載してきたが、種々の変更が、添付の請求項により明瞭に規定される本発明の範囲から逸脱することなく、可能であることは、明らかである。
【００２２】
例えば、図9において、半径方向のガスケット42の周辺端44は、図8に記載の中空のバルブ形状の代わりに複数の半径方向に延在する突起または指64（オープンバルブのような）を含むことも出来る。図10に示されるように、周辺端44が、半径方向に代えて軸方向に圧縮されるように、ガスケット42を冠板30に配置することも出来る。半径方向のガスケット42および内向き延長部46を、第一ラビリンス部分66および第二ラビリンス部分68により置換して、相互にインターロックするように設計することも可能である。明らかに、このラビリンスのインターロックは、完全なシールは提供しないが、規定された曲がりくねったパスは汚染が侵入しにくくするであろう。
【００２３】
同様に、マウント冠24の内側表面48は、円筒状である必要はない。例えば、冠板30の外側表面またはマウント冠24の内側表面には、素子を嵌合させるためにテーパを付けてもよい。
【００２４】
ハウジング20および取付板24間に嵌合しているかみ合いを提供する内側フランジ28および外側フランジ32は、フランジ形状である必要はない。それらは、例えば、一連の突起および空隙が網目を構成し、かつ一方の位置において入口と出口の嵌合を提供し、他方の位置においてハウジング20のサポートを提供するキーイング特長を具体化することが出来る。フランジは、また、可変寸法の一連の突起を具体化して、マウント冠ハウジングインターフェースをしっかりと締めているカム運動を、与えることも出来る。
【００２５】
請求項において、括弧間に配置されるいかなる引用符号も、請求項を制限するものと解釈してはならない。「を有している」という表現は、請求項に挙げられた素子またはステップ以外のものの存在を除外するものではない。素子の前の"a"または"an"の表現は、このような素子の複数の存在を除外するものではない。いくつかの手段を列挙している装置の請求項において、これらの数個の手段を、ハードウェアの全く同一の個条により具体化させることができる。
【００２６】
以下、本発明に係る好適な実施例は、次のように要約することが出来る。監視カメラハウジングは、マウント冠において対応する半径方向に延在するフランジと空隙とかみ合う空隙および半径方向に延在しているフランジを有する冠板を含む。ラディアルのガスケットが、冠板に配置され、そして電気的コネクタはラディアルガスケットの範囲内に配置される。動作中、冠板のフランジはマウント冠の空隙の範囲内に配置され、そしてマウント冠のフランジは冠板の空隙に置かれる。ハウジングが垂直にさらに上げられると、冠板フランジにより規定される水平面は、マウント冠フランジにより規定される水平面の上に行く。冠板フランジがマウント冠フランジにとまるように、次いでハウジングは回転される。
【図面の簡単な説明】
【図１】  本発明のマウントユニットのハウジングおよび切欠図の側面図である。
【図２】  図1の平面図である。
【図３】  本発明のマウントユニットの細部を示す、図2のラインD-Dに沿っての切欠け側立面図である。
【図４】  本発明のマウントユニットを詳細に示す、図2のラインB−Bに沿っての切欠け側立面図である。
【図５】  本発明において使用されるマウント冠の底部斜視図である。
【図６】  本発明において使用されるマウントユニットおよびハウジングのプラン斜視図である。
【図７】  本発明において使用されるハウジングおよびマウントユニットの側面立面図である。
【図８】  本発明において使用されるラディアルガスケットの種々の実施例を示す拡大された側面立面図である。
【図９】  本発明において使用されるラディアルガスケットの種々の実施例を示す拡大された側面立面図である。
【図１０】  本発明において使用されるラディアルガスケットの種々の実施例を示す拡大された側面立面図である。
【図１１】  本発明において使用されるラディアルガスケットの種々の実施例を示す拡大された側面立面図である。
【符号の説明】
20  ハウジング
22  マウントユニット
24  マウント冠
28  第二フランジ
30  冠板
32  第一フランジ
36  電気的コネクタ
42  ラディカルガスケット
44  周辺端
60  抗回転ねじ
62  ノッチ
66  第一ラビリンス部分
【図１】
0004263369.tif 000002
【図２】
0004263369.tif 000003
【図３】
0004263369.tif 000004
【図４】
0004263369.tif 000005
【図５】
0004263369.tif 000006
【図６】
0004263369.tif 000007
【図７】
0004263369.tif 000008
【図８】
0004263369.tif 000009
【図９】
0004263369.tif 000010
【図１０】
0004263369.tif 000011
【図１１】
0004263369.tif 000012